【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
茎を保持しながら前記茎が繋がる果実を収容する収容室を有する容器であって、
各々が弾性体から構成され、前記茎を境に隣接して配置される一対の挟持片と、
一方の面が前記収容室に対向するとともに、他方の面が前記一対の挟持片に対向する受け座と、
前記受け座の前記一方の面側に配置されるクッションと、を備え、かつ、
前記受け座は、前記一対の挟持片よりも剛性が高く、
前記一対の挟持片は、前記受け座に接することで、前記受け座に向けた第１の向きへの撓みは規制されるが、前記受け座から離れる第２の向きへの撓みは許容され、
前記クッションは、可撓性のある材料から形成されており、前記収容室に収容される前記果実が前記クッションに接触すると、前記果実に対して第１の向きに反力を与える、
ことを特徴とする容器。
【請求項２】
前記第１の向きが上向きであり、前記第２の向きが下向きである、請求項１に記載の容器。
【請求項３】
前記一対の挟持片は、一体的に形成された円板状の部材に切り込みを設けることで形成されている、請求項１又は請求項２に記載の容器。
【請求項４】
前記クッションは、発泡性樹脂から形成される、請求項１から請求項３のいずれか１項に記載の容器。
【請求項５】
前記クッションは、お椀型の形態をなしている、請求項１から請求項４のいずれか１項に記載の容器。
【請求項６】
前記受け座には、その縁部から中心にかけて径方向に連なる第１のスリットが形成されている、請求項１から請求項５のいずれか１項に記載の容器。
【請求項７】
前記クッションには、前記受け座の前記第１のスリットに対応する第２のスリットが形成されている、請求項６に記載の容器。
【請求項８】
前記一対の挟持片は、一体的に形成された円板状の部材に切り込みを設けることで形成されており、
前記切り込みは、前記第１のスリットおよび前記第２のスリットに対応して形成されている、請求項７に記載の容器。
【請求項９】
前記一対の挟持片は、シリコンゴム、発泡ウレタン、ネオプレーンゴム、発泡スチレンのうち少なくとも１つから形成されている、請求項１から請求項８のいずれか１項に記載の容器。
【請求項１０】
前記収容室は、
前記受け座と、前記受け座の周囲を取り囲む筒状の側壁と、によって形成される、請求項１から請求項９のいずれか１項に記載の容器。
【請求項１１】
前記側壁は、前記果実の水平方向に動きを規制する、請求項１０に記載の容器。
【請求項１２】
請求項１から請求項１１のいずれか１項に記載の容器の使用方法であって、
前記収容室の開口が上向きになるように前記容器を配置し、
前記茎を下向きにして前記果実を前記収容室に収容する、
ことを特徴とする容器の使用方法。
【請求項１３】
請求項８に記載の容器の使用方法であって、
前記収容室の開口が上向きになるように前記容器を配置し、
前記茎を下向きにして前記果実を前記収容室に収容する際に、
前記茎は、前記第１のスリットと、前記第２のスリットと、前記切り込みとを位置合わせした状態で挿入される、
ことを特徴とする容器の使用方法。
【請求項１４】
前記茎は、前記容器の側方から挿入される、
請求項１３に記載の容器の使用方法。
【手続補正２】
【補正対象書類名】明細書
【補正対象項目名】０００６
【補正方法】変更
【補正の内容】
【０００６】
かかる目的のもとなされた本発明は、茎を保持しながら茎が繋がる果実を収容する収容室を有する容器であって、各々が弾性体から構成され、茎を境に隣接して配置される一対の挟持片と、一方の面が収容室に対向するとともに、他方の面が一対の挟持片に対向する受け座と、受け座の一方の面側に配置されるクッションと、を備え、以下の特徴を有している。
本発明における一対の挟持片は、一対の挟持片よりも剛性が高い受け座に接することで、受け座に向けた第１の向きへの撓みは規制されるが、受け座から離れる第２の向きへの撓みは許容される。
また本発明におけるクッションは、可撓性のある材料から形成されており、収容室に収容される果実がクッションに接触すると、果実に対して第１の向きに反力を与える。
【手続補正３】
【補正対象書類名】明細書
【補正対象項目名】００１１
【補正方法】変更
【補正の内容】
【００１１】
【図１】本実施形態の容器にイチゴが収容され、保持された様子を示す図である。
【図２】図１の分解斜視図である。
【図３】図１の容器のスリットに茎が挿入される過程を示す図である。
【図４】図１の容器（容器本体）を上下反転させた状態を示す図である。
【図５】図１の容器を複数配置して使用する例を示す図である。
【図６】図１の容器に用いられる保持具の変形例を示す図である。
【図７】特許文献５に開示される保持部材を示す図である。
【手続補正４】
【補正対象書類名】明細書
【補正対象項目名】００１３
【補正方法】変更
【補正の内容】
【００１３】
［容器の構成］
容器本体１０は、矩形状の台座１１と、台座１１から立ち上る外形がテーパ状をなす外筒１３と、外筒１３の先端縁からその内側に向けて垂れ下がる円筒面状の内筒１５と、内筒１５の先端縁からその内側に向けて延びる円形状の受け座１７と、外筒１３から受け座１７の中心にかけて径方向に連なるスリット（第１のスリット）１９と、を備えている。容器本体１０は、種々の方法で作製できるが、例えばＰＥＴ（ポリエチレンテレフタレート）、ポリカーボネート等の比較的剛性の高い樹脂を射出成形して一体の成形品として作製することができる。なお、容器本体１０は、少なくても受け座１７の部分が保持具２０よりも十分に剛性が高く作製されていればよい。また、容器本体１０は、樹脂に限らず、金属材料、例えばステンレス鋼、さらに金属と樹脂との複合材料等から構成することもできる。なお、図１の上下方向が鉛直方向に沿っているものとする。
【手続補正５】
【補正対象書類名】明細書
【補正対象項目名】００１８
【補正方法】変更
【補正の内容】
【００１８】
クッション３０には、容器本体１０のスリット１９及び保持具２０の切り込み２１に対応してスリット（第２のスリット）３１が形成されている。イチゴＳを容器本体１０に収容する際に、イチゴＳの茎ｓｔはスリット１９及び切り込み２１と位置あわせされたスリット３１に挿入される。
【手続補正６】
【補正対象書類名】明細書
【補正対象項目名】００２２
【補正方法】変更
【補正の内容】
【００２２】
なお、本発明は、茎ｓｔを水平方向に押し込むことを許容する。その場合、茎ｓｔが奥に行くに従い一対の挟持片２３から受ける負荷が増大し、つかんだ位置より茎ｓｔが斜め後方に遅れる。そうすると、茎ｓｔには軸方向への引っ張りが発生し、その結果、挟持片２３には下側への撓みが誘発され、自動的に押し込み負荷が軽減される。
また、図３（ｂ）において、挟持片２３が水平な位置まで復帰した例を示しているが、茎ｓｔの径によっては、挟持片２３が上側にわずかに撓んだ状態で茎ｓｔを挟持することもある。
なお、以上説明した通りであり、受け座１７は、裏面において、挟持片２３の一方に向けた（第１の向き）撓みを規制する機能に加えて、表面において、クッション３０を支持することでイチゴＳに反力Ｆを与える機能を有している。
【手続補正７】
【補正対象書類名】明細書
【補正対象項目名】００２９
【補正方法】変更
【補正の内容】
【００２９】
保持具２０は、切り込み２１の終点に円形の貫通孔２２を形成したが、切り込みの形態はこれに限らない。その例を図６に示すが、（ａ）のように貫通孔２２を設けることなく直線状の切り込み２１だけを形成する例、（ｂ）のように切り込み２１の終点に十字状の切り込み２５を形成する例、（ｃ）のように円形の貫通孔２２と十字状の切り込み２５の両方を形成する例、（ｄ）のように三角形の貫通孔２２と十字状の切り込み２５の両方を形成する例、など種々の形態にすることができる。また、切り込みの形態のほかに、保持具２０の外形を（ｅ）のように矩形にすることもできる。
本発明者らは、以上の形態の保持具２０を備える容器１にイチゴＳを実際に収容して、振動試験（周波数：３０Ｈｚ，加速度：４．５Ｇ）を行った。その結果、何れの保持具２０を用いても５分間経過後に挟持が外れることはなかった。図６（ａ）〜（ｄ）の中では、特に、切り込み２１の終点に十字状の切り込み２５を形成する（ｂ）及びに三角形の貫通孔２２と十字状の切り込み２５の両方を形成する（ｄ）の形態は挟持が外れ難く、特に（ｄ）の実施形態は、上記振動試験を３０分継続しても挟持が外れることはなかった。
また、図６では、十字状の切り込み２５、貫通孔２２を設ける位置を保持具２０の中心に設ける例を示しているが、切り込み２１の入口を基準として、中心よりも奥に設けることによって、一対の挟持片２３による挟持力を増加させることができる。
さらに、以上で説明した実施形態では、保持具２０の切り込み２１とクッション３０のスリット３１の向きを一致させた例を示したが、例えば、イチゴＳを挟持させた後に、保持具２０またはクッション３０を回転させることにより、切り込み２１とスリット３１の向きを９０〜１２０度程度の範囲で交差させることは、茎ｓｔが挟持部分から移動し、あるいは脱落したりするのを防ぐのに有効である。